(57)【要約】【課題】鍵などを用いるなどして多くの手間をかけなくても容易に施錠することができ、かつ、収納庫の内部に子供などが閉じ込められた場合でも脱出することが可能な収納庫用の錠前装置を提供する。【解決手段】収納庫としての宅配ボックスを開閉する扉または収納庫本体に組付けられる収納庫用の錠前装置１０であって、錠機構１１と、回動自在で扉の外側から操作されるつまみ１２と、つまみ１２を回動することにより施錠状態にロックさせるロック機構１３と、収納庫の内部に露出する状態で移動自在に設けられて、収納庫の内部から操作することで前記ロック状態を解除できる非常解錠部１４と、を備えている。【選択図】図８
2019196618.tif 000002
【特許請求の範囲】
【請求項１】
収納庫を開閉する扉または収納庫本体に組付けられる収納庫用の錠前装置であって、
錠機構と、
回動自在で扉の外側から操作されるつまみと、
つまみを回動することにより施錠状態にロックさせるロック機構と、
収納庫の内部に露出する状態で移動自在に設けられて、収納庫の内部から操作することで前記ロック状態を解除できる非常解錠部と、
を備えていることを特徴とする収納庫用の錠前装置。
【請求項２】
つまみと連動し、扉と扉枠部との間で出退して扉が開くことを阻止可能な係止片と、
つまみと一体的に移動自在に設けられるロック機構の被係合部と、
係止片が扉を開けることが可能な非係止姿勢となるとともに被係合部が係合部から離脱する方向につまみを付勢するつまみ付勢手段と、
錠機構に設けられている錠本体の操作により移動するロック用部材と、
ロック用部材またはロック用部材に連動する部材に設けられて、ロック機構の被係合部に係脱自在のロック機構の係合部と、
つまみがつまみ付勢手段に抗する方向に回動された際にロック機構の係合部が被係合部に係合してロックする方向に、ロック用部材を付勢するロック用付勢手段と、
つまみと錠本体とをそれぞれ回動自在に保持する保持枠と、
が備えられていることを特徴とする請求項１に記載の収納庫用の錠前装置。
【請求項３】
ロック用部材の一部、またはロック用部材に組付けられた部品、またはロック用部材に連動する部品が、収納庫の内部に露出する状態で配置されて非常解錠部を構成していることを特徴とする請求項１または２に記載の収納庫用の錠前装置。
【請求項４】
ロックされた施錠状態と扉を開けることが可能な解錠状態とを識別するための識別手段が設けられていることを特徴とする請求項１〜３の何れか１項に記載の収納庫用の錠前装置。
【請求項５】
所定の鍵を用いることで、錠機構が交換可能に構成されていることを特徴とする請求項１〜４の何れか１項に記載の収納庫用の錠前装置。
【発明の詳細な説明】
【技術分野】
【０００１】
本発明は収納庫用の錠前装置に関する。
【背景技術】
【０００２】
いわゆる宅配ボックスなどとも呼ばれ、宅配業者などが中に荷物などを入れて施錠でき、かつ住人などが解錠して荷物を受け取る収納庫は既に広く知られている。この種の収納庫に設ける錠前装置（施錠装置）が、例えば特許文献１などに開示されている。
【０００３】
前記特許文献１に開示されている収納庫用の錠前装置（施錠装置）では、荷物を入れる宅配業者などが業者専用の鍵を所持して、荷物を入れた状態で前記業者専用鍵を用いて施錠する。一方で、住人などの利用者は、利用者専用の鍵を用いて解錠して荷物を取り出すよう構成されている。
【先行技術文献】
【特許文献】
【０００４】
【特許文献１】特開平６−１９３３１６公報
【発明の概要】
【発明が解決しようとする課題】
【０００５】
しかし、上記従来の収納庫用の錠前装置では、荷物を入れる宅配業者などが業者専用の鍵を所持して、鍵を用いながら施錠しなければならないため、多くの手間がかかるとともに、業者専用の鍵を所持し忘れた場合には、解錠あるいは施錠できなくなるという短所がある。
【０００６】
このような短所を改善する方法としては、鍵が無くても施錠できるような機構を設けることが考えられる。これによれば、鍵が無くても施錠できるので、手間を省くことができるとともに、業者専用の鍵を所持し忘れて解錠あるいは施錠できなくなるなどの不具合が発生しなくなる。
【０００７】
しかしながら、このように鍵が無くても施錠できると、収納庫が比較的大きい場合などに、子供などが遊びや悪戯などにより収納庫に入って扉を閉じると、収納庫内に閉じ込められてしまい、出られなくなる恐れがある。
【０００８】
本発明は、上記課題を解決するもので、鍵などを用いるなどして多くの手間をかけなくても容易に施錠することができ、かつ、収納庫の内部に子供などが閉じ込められた場合でも脱出することが可能な収納庫用の錠前装置を提供することを目的とするものである。
【課題を解決するための手段】
【０００９】
上記課題を解決するために、本発明は、収納庫を開閉する扉または収納庫本体に組付けられる収納庫用の錠前装置であって、錠機構と、回動自在で扉の外側から操作されるつまみと、つまみを回動することにより施錠状態にロックさせるロック機構と、収納庫の内部に露出する状態で移動自在に設けられて、収納庫の内部から操作することで前記ロック状態を解除できる非常解錠部と、を備えていることを特徴とする。
【００１０】
この構成により、扉を閉じる際は、つまみを回動させるだけでロックすることができる。また、収納庫の内部から操作することで前記ロック状態を解除できる非常解錠部が設けられているので、万一、子供などが遊びや悪戯などにより収納庫に入って扉が閉じられるなどして閉じ込められた場合でも、収納庫の内部から非常解錠部を操作することで前記ロック状態を解除できて、収納庫から脱出することができる。
【００１１】
また、本発明は、つまみと連動し、扉と扉枠部との間で出退して扉が開くことを阻止可能な係止片と、つまみと一体的に移動自在に設けられるロック機構の被係合部と、係止片が扉を開けることが可能な非係止姿勢となるとともに被係合部が係合部から離脱する方向につまみを付勢するつまみ付勢手段と、錠機構に設けられている錠本体の操作により移動するロック用部材と、ロック用部材またはロック用部材に連動する部材に設けられて、ロック機構の被係合部に係脱自在のロック機構の係合部と、つまみがつまみ付勢手段に抗する方向に回動された際にロック機構の係合部が被係合部に係合してロックする方向に、ロック用部材を付勢するロック用付勢手段と、つまみと錠本体とをそれぞれ回動自在に保持する保持枠と、が備えられていることを特徴とする。
【００１２】
上記構成において、宅配業者などが収納庫に荷物を入れるなどしてロックする際には、扉を閉めた状態で、つまみ付勢手段の付勢力に抗してつまみをロック側に回動させると、係止片が連動して扉が開くことが阻止されるとともに、ロック機構の被係合部が係合部に係合可能な位置まで移動され、この結果、ロック機構の被係合部に係合部が係合してロックされる。住人などが荷物を取り出す際には、錠装置に鍵を差し込んで回動させることで、係合部の被係合部に対する係合（ロック）が解除されるとともに、係止片が連動して扉を開けることが許容される状態（いわゆる解錠状態であり、非係止姿勢である）となる。したがって、この状態で扉を開けることで、荷物を取り出すことができる。
【００１３】
また、本発明は、ロック用部材の一部、またはロック用部材に組付けられた部品、またはロック用部材に連動する部品が、収納庫の内部に露出する状態で配置されて非常解錠部を構成していることを特徴とする。この構成により、収納庫の内部に露出する状態で配置されているロック用部材の一部を操作することで前記ロック状態を解除でき、収納庫の内部に子供などが閉じ込められた場合でも収納庫から脱出することができる。この構成により、比較的簡単な構成で非常解錠部を構成することができる。
【００１４】
また、本発明は、ロックされた施錠状態と扉を開けることが可能な解錠状態とを識別するための識別手段が設けられていることを特徴とする。これにより、識別部分を視認するなどして、施錠状態と解錠状態とを容易に識別することができる。
【００１５】
また、本発明は、所定の鍵を用いることで、錠機構が交換可能に構成されていることを特徴とする。これにより、住人が変わった場合などに、鍵機構を交換して、セキュリティ性能を向上できる。
【発明の効果】
【００１６】
本発明によれば、回動自在で扉の外側から操作されるつまみと、つまみを回動することにより施錠状態にロックさせるロック機構と、収納庫の内部に露出する状態で移動自在に設けられて、収納庫の内部から操作することで前記ロック状態を解除できる非常解錠部と、を備えることにより、扉を閉じる際は、つまみを回動させるだけの極めて少ない動作で（いわゆるワンアクション動作で）ロックすることができて、手間を省くことができる。また、万一、子供などが遊びや悪戯などにより収納庫に入って扉が閉じられた場合でも、収納庫の内部から非常解錠部を操作することで前記ロック状態を解除でき、収納庫から脱出することができ、安全性を向上させることができる。
【００１７】
また、つまみと連動する係止片と、つまみと一体的に移動自在に設けられるロック機構の被係合部と、係止片が扉を開けることが可能な非係止姿勢となるとともに被係合部が係合部から離脱する方向につまみを付勢するつまみ付勢手段と、錠機構に設けられている錠本体の操作により移動するロック用部材と、ロック機構の被係合部に係脱自在のロック機構の係合部と、つまみが、つまみ付勢手段に抗する方向に回動された際に、ロック機構の係合部が被係合部に係合してロックする方向にロック用部材を付勢するロック用付勢手段と、を備えることにより、極めて少ない動作でロックできる構造を比較的簡単な構成で実現できて、製造コストを低めに抑えることが可能となる。
【００１８】
また、ロック用部材の一部、またはロック用部材に組付けられた部品、またはロック用部材に連動する部品を操作することで前記ロック状態を解除でき、収納庫の内部に子供などが閉じ込められて出られなくなることを防止できる。また、ロック用部材の一部を操作することで前記ロック状態を解除できるよう構成すると、部品点数を増加させなくても済むので、製造コストを低めに抑えることが可能となる。
【００１９】
また、ロックされた施錠状態と扉を開けることが可能な解錠状態とを識別するための識別手段を設けることで、施錠状態と解錠状態とを容易に識別することができて便利である。また、識別部をつまみに設けると、簡単な構成となるので、製造コストを低めに抑えることが可能となる。
【００２０】
また、所定の鍵を用いることで、錠機構が交換可能に構成することにより、住人が変わった場合などに、鍵機構を交換して、セキュリティ性能を向上できる。
【図面の簡単な説明】
【００２１】
【図１】本発明の実施の形態に係る収納庫用の錠前装置が組み付けられている収納庫の１例である宅配ボックスの正面図である。
【図２】同宅配ボックスの斜視図である。
【図３】図１のIII−III線で矢視した平面断面図である。
【図４】同宅配ボックスの錠前装置の正面図（施錠状態）である。
【図５】同錠前装置の背面図（施錠状態）である。
【図６】同錠前装置の平面図（施錠状態）である。
【図７】同錠前装置の右側面図（施錠状態）である。
【図８】同錠前装置の分解斜視図である。
【図９】同錠前装置のつまみの正面図である。
【図１０】同錠前装置のつまみの右側面図である。
【図１１】同錠前装置のつまみの背面図である。
【図１２】同錠前装置に鍵を挿入して解錠した状態を示す斜視図である。
【図１３】同錠前装置の正面図（解錠状態）である。
【図１４】同錠前装置のロック用部材の正面図である。
【図１５】同錠前装置の連結部材の背面図である。
【図１６】同錠前装置の背面図（解錠状態）である。
【図１７】同錠前装置において、ロック用部材の係合部が被係合部から離脱した状態を示す正面図（解錠状態）である。
【図１８】同錠前装置において、ロック用部材の係合部が被係合部に係合した状態を示す正面図（施錠状態）である。
【図１９】同錠前装置において、錠機構を取り外す状態を示す斜視図である。
【図２０】同錠前装置において、錠機構に鍵を挿入して回動させる（解錠させる）動作を示す正面図である（つまみについては回動する（ロック解除する）直前の状態を示している）。
【発明を実施するための形態】
【００２２】
以下、本発明の実施の形態に係る収納庫用の錠前装置を図面に基づき説明する。ここで、まず、当該錠前装置が組み付けられる収納庫の１例である宅配ボックスについて、説明する。
【００２３】
図１〜図３に示すように、宅配ボックス１は、前面が開口されるとともに内部に宅配物などの収納空間２ｃが設けられている箱型の本体（収納庫本体）２と、本体２の開口部２ａを開閉する扉３と、から構成されている。扉３は、本体２の開口部２ａに臨む一側部（この実施の形態では向かって右側）の上方と下方とからそれぞれ縦方向に延びる回転支持軸４を中心として、他側部側（この実施の形態では向かって左側であり、開放端である）が大きく開くように手前側に開閉自在とされて本体２の開口部２ａを開閉する。本体２の開口部２ａの周囲には、閉鎖状態の扉２に外周および後方から臨む（対向する）ように扉枠部２ｂが設けられている。
【００２４】
本発明の実施の形態に係る錠前装置１０は、扉３の開放端側（この実施の形態では扉３の左寄り側箇所）に組付けられている。図１〜図３、図８などに示すように、錠前装置１０は、錠機構１１と、回動自在で扉２の外側から操作されるつまみ１２と、つまみ１２を回動することにより施錠状態にロックさせるロック機構１３（図８、図１５、図１６参照）と、宅配ボックス１の内部に露出する状態で移動自在に設けられて、宅配ボックス１の内部から操作することで前記ロック状態を解除できる非常解錠部１４（図３、図５、図８などを参照）と、を備えている。
【００２５】
さらに詳しくは、図１〜図８などに示すように、錠前装置１０は、つまみ１２と連動し、扉３と扉枠部２ｂとの間で出退して扉３が開くことを阻止可能な係止片１５と、側方（この実施の形態では左側方）に出退自在とされて扉枠部２ｂに後方から当接して扉３を閉状態に保持するラッチ１９と、つまみ１２と一体的に移動自在に設けられるロック機構１３の被係合部１６ａ（後述する被係合部材１６に形成されている）と、係止片１５が扉３を開けることが可能な非係止姿勢となる方向に被係合部材１６を介してつまみ１２を付勢するつまみ付勢手段としてのつまみ付勢ばね１７と、錠機構１１に設けられている錠本体１１ａの操作により移動するロック用部材２０と、ロック用部材２０に設けられて、ロック機構１３の被係合部１６に係脱自在のロック機構１３の係合部２０ａと、つまみ１２がつまみ付勢ばね１７に抗する方向に回動された際にロック機構１３の係合部２０ａが被係合部１６ａに係合してロックする方向に、ロック用部材２０を付勢するロック用付勢手段としてのロック用付勢ばね２２と、つまみ１２と錠本体１１ａとをそれぞれ回動自在に保持する保持枠２３（前保持枠２３Ａおよび後保持枠２３Ｂ）と、保持枠２３などを扉３に組み付ける組付け枠２４などを備えている。
【００２６】
図３に示すように、錠前装置１０は、扉３を前後（厚み方向）に貫通した状態で組付けられている。図８などに示すように、組付け枠２４には、後方に大きく窪んで、つまみ１２や錠機構１１が組み付けられた保持枠２３が嵌め込まれる嵌合凹部２４ｄ（図８参照）が形成されている。また、組付け枠２４の前面右側には、扉３を開ける際に把持する取手部２４ａが一体形成され、組付け枠２４の後部左右面には、扉３に組み付ける際に左右に拡がって、錠前装置１０を取り外せないように保持する弾性変形可能な組付け片部２４ｂが一体形成されている。組付け枠２４の後部には、ラッチ１９を出退自在に保持するラッチ保持部２４ｃが一体形成されている。なお、２４’は組付け枠２４に保持枠２３を組み付ける組付けねじである。
【００２７】
図８などに示すように、ラッチ１９は、扉枠部２ｂに後方から摺接するラッチ本体２５と、このラッチ本体２５が扉３より側方（この実施の形態では左側方）に突出する方向に付勢するラッチ付勢ばね２６とから構成されている。ラッチ本体２５には、扉枠部２ｂに後方から摺接する傾斜面２５ａと、割り部２５ｂが形成されて弾性変形可能で、組付け枠２４のラッチ保持部２４ｃに形成された孔部２４ｃ’に隙間を有する状態で挿入される嵌合部２５ｃと、が形成されている。そして、ラッチ本体２５は左右に移動可能な状態（詳しくは、扉閉鎖位置では、左側に突出し、右側に後退する状態）で、ラッチ付勢ばね２６によりラッチ本体２５が側方に突出するように付勢されている。なお、ラッチ１９は、後述するように係止片１５が扉枠部２ｂに係止されていない状態（すなわち、扉３を手前に開けることが可能な状態）でも、扉３を閉姿勢に維持するために設けられており、ラッチ１９が設けられると、扉３を閉姿勢に維持できるのでより好適であるが、錠前装置１０に必ずしも設けなくてもよい。
【００２８】
図８などに示すように、この実施の形態では、保持枠２３が、前後に２分割された前保持枠２３Ａと後保持枠２３Ｂとから構成されており、これらの前保持枠２３Ａと後保持枠２３Ｂとが、つまみ１２や錠機構１１などを内部に格納した状態で、ねじ２３’で結合される。後保持枠２３Ｂには、つまみ１２を、横軸心（この実施の形態では前後に延びる軸心）を中心として回動自在の状態で保持するつまみ保持筒状部２３ａと、錠本体１１ａを、横軸心（この実施の形態では前後に延びる軸心）を中心として回動自在の状態で保持する錠本体保持筒状部２３ｂとが、それぞれ一体形成されている。
【００２９】
図８〜図１１などに示すように、つまみ１２は、外側に露出する前部に、操作（回転）するためにつまむ（把持する）ことが可能なつまみ部（操作部）１２ａと、このつまみ部の後方外周に鍔状に広がる鍔状部１２ｂと、さらに円筒状に後方に延びる筒状本体部１２ｃと、鍔部１２ｂと筒状本体部１２ｃとの接続部分に形成されて、被係合部１６ａが形成されている被係合部材１６が組み付けられる多角形突状の被係合部材取付け部１２ｄ（図１１参照）と、筒状本体部１２ｃの後端部に形成されて係止片１５が組み付けられる四角形状の係止片取付け部１２ｅと、が形成されている。また、これに対応して、被係合部材１６には、つまみ１２の被係合部材取付け部１２ｄが嵌合される多角形状の孔部１６ｂが形成され、係止片１５には、つまみ１２の係止片取付け部１２ｅが嵌合される四角形状の孔部１５ａが形成されている。そして、つまみ１２が回動されると、これに伴って被係合部材１６および係止片１５も同方向に一体的に回動される。なお、図８における２７は、係止片１５をつまみ１２の後端部に取り付ける取付ボルトである。
【００３０】
また、図８に示すように、つまみ１２と一体的に回動する被係合部材１６には、つまみ付勢ばね１７の一端部１７ａを係止させる係止用凹部１６ｃが形成され、つまみ付勢ばね１７の他端部１７ｂは後保持枠２３Ｂの左側壁面外側に形成された溝部２３ｃに係止されている。この実施の形態では、つまみ１２がつまみ付勢ばね１７によって、向かって時計回り（向かって右回りであり、係止片１５が扉３を開けることが可能な非係止姿勢となる方向であるとともに、被係合部１６ａが、係合部２０ａから離脱する方向）に付勢されている。なお、この実施の形態では、ロック用部材２０の係合部２０ａと、筒状本体部１２ｃと、つまみ付勢ばね１７と、被係合部材１６における被係合部１６ａと、ロック用付勢ばね２２とによりロック機構１３が構成されている。図８に示すように、被係合部材１６における被係合部１６ａ以外の外周部は単なる円板形状部（鍔形状）１６ｄとされている一方、被係合部１６ａは、略Ｖ字形状に窪んで（向かって左側は、略径方向に窪むとともに、向かって右側は周方向に傾斜しながら窪んだ形状）形成され、係合部２０ａは略くさび形のＶ字形状に突出した形状に形成されている。なお、被係合部材１６には、つまみ付勢ばね１７の一端部１７ａを挿通したり係合したりする挿通用凹部１６ｃも形成されている。
【００３１】
図４、図８、図１２、図１３などに示すように、錠機構１１は、前面部１１ｂに、解錠用の鍵３１（図１２参照）を差し込む差込孔１１ｃが形成されている。また、図８、図１４、図１５に示すように、錠機構１１の前面部１１ｂの裏面側には、錠機構１１の前面部１１ｂおよび錠本体１１ａを、所定角度以上、回動・操作した際に、ロック用部材２０を連動させするように連結する連結部材２１が介装されている。すなわち、連結部材２１には、錠機構１１の前面部１１ｂおよび錠本体１１ａを、解錠操作する際に時計回りに所定角度（例えば、約４５度）回転した際に、ロック用部材２０に形成された係合凸部２０ｆに係合する連動用凸部２１ｂが形成されている。また、ロック用部材２０に、錠本体１１ａが挿通される挿通孔２０ｂが設けられた環状部２０ｃが形成されているとともに、環状部２０ｃの外周の一部に、ロック用付勢ばね２２の一端部２２ａに係合する係合用凹部２２ｄも形成されている。また、ロック用付勢ばね２２の他端部２２ｂは、後保持枠２３Ｂの左側壁面外側に形成された溝部２３ｄに係止されている。そして、この実施の形態では、ロック用部材２０が、ロック用付勢ばね２２によって、向かって反時計回り（向かって左回りであり、ロック用部材２０の係合部２０ａが被係合部１６ａに係合してロックする方向；つまみ付勢ばね１７とは逆方向）に付勢されている。
【００３２】
そして、扉３を開けることが可能で、内部に荷物などを収納することが可能な状態では、図１７に示すように、ロック機構１３においては、ロック用部材２０の係合部２０ａが被係合部１６ａから離脱した非ロック状態（ロック用部材２０の係合部２０ａは被係合部材１６の円板形状部１６ｄに当接した状態）となっており、係止片１５は上方に向いて扉枠部２ｂに係合していない（離脱している）状態となっている。
【００３３】
また、このように扉３を開けることが可能な状態であることが容易に視認できるように、前保持枠２３Ａにおけるつまみ１２配設箇所の近傍に識別用窓２８が形成されている。また、つまみ１２の鍔状部１２ｂの前面に、ロック状態（施錠状態にロックされている状態）であることを示す施錠（ロック）状態識別部（例えば、この領域を赤色にしたり、「施錠：閉」などの文字を記載したりする）２９Ａと、解錠状態（扉３を開けることができる状態）を識別するための解錠状態識別部（例えば、この領域を青色にしたり、「収納可」などの文字を記載したりする）２９Ｂと、が設けられている。そして、解錠状態では識別用窓２８に解錠状態識別部２９Ｂが位置し、施錠状態で識別用窓２８に施錠状態識別部２９Ａが位置するように、解錠状態識別部２９Ｂおよび施錠状態識別部２９Ａが鍔状部１２ｂの対応領域に設けられている。
【００３４】
さらに、上記構成に加えて、宅配ボックス１の内部に露出する状態で移動自在に設けられて、宅配ボックス１の内部から操作することで前記ロック状態を解除できる非常解錠部１４が設けられている。この実施の形態では、図３、図７、図８などに示すように、ロック用部材２０の一部が後方に延ばされて、非常解錠部１４が設けられている。また、非常解錠部１４の先端部にはつまみやすいように操作用カバー３０が被せられている。そして、万一、子供などが遊びや悪戯などにより収納庫としての宅配ボックス１に入って扉３が閉じられたり、閉じたりした場合でも、宅配ボックス１の内部から非常解錠部１４を操作する（この実施の形態では、反時計方向に回転する）ことで、ロック用部材２０の係合部２０ａが被係合部１６ａから離脱し、前記ロック状態を解除できるようになっている。
【００３５】
なお、操作用カバー３０は必要に応じて設けられていればよく、必ずしも設けなくてもよい。また、組付け枠２４の背面部における操作用カバー３０の近傍箇所に、非常時（内部に閉じ込められた場合）にこの非常解錠部１４や操作用カバー３０を操作することの簡略的な説明や、操作方向（非常解錠部１４や操作用カバー３０を操作する方向）を記載しておくと好適であるが、これに限るものではない。
【００３６】
また、この実施の形態では、図１９に示すように、特別な交換用鍵３２を用いて所定の操作を行うことで、鍵機構１１を錠前装置１０から取り外して交換することができるよう構成されており、例えば、住人が変わった場合などに、鍵機構１１を交換して、セキュリティ性能を向上できる。
【００３７】
上記構成において、宅配ボックス１は、内部に荷物が入っていない状態では、扉３を自由に開けられる状態となっている。すなわち、図１３、図１６、図１７に示すように、ロック機構１３においては、ロック用部材２０の係合部２０ａが被係合部１６ａから離脱した非ロック状態（ロック用部材２０の係合部２０ａは被係合部材１６の円板形状部１６ｄに当接した状態）となっており、係止片１５は上方に向いて扉枠部２ｂに係合していない（離脱している）状態となっている。そして、この際には、識別用窓２８に解錠状態識別部２９Ｂが表示されている。
【００３８】
宅配業者などが荷物などを収納する際には、このように解錠状態であることを確認して、扉３を開閉して荷物などを収納する。そして、つまみ１２を回動させる（この実施の形態では、反時計周りに約９０度回転させる）。この操作を行うだけで、つまみ１２とともに被係合部材１６や係止片１５も回動し、図３、図４などに示すように、係止片１５が窓枠部２ｂに後方から係合するとともに、被係合部材１６の被係合部１６ａが係合部２０ａと係合可能な位置まで回動するので、図１８に示すように、係合部２０ａが設けられているロック用部材２０がロック用付勢ばね２２の付勢力により回動して、係合部２０ａが被係合部１６ａに係合して（嵌り込んで）ロックさせる。なお、この際、図４に示すように、識別用窓２８には施錠状態識別部２９Ａが表示される。
【００３９】
住人などは、識別用窓２８に施錠状態識別部２９Ａが表示されていることや、郵便受けに投入された通知票などから、宅配ボックス１に荷物が投入されていることを知ることができる。この際、住人などは、図２０に示すように、錠機構１１に鍵３１を挿入して所定方向（図２０の矢印方向）に回転させる（この実施の形態では時計回りに約４５度回転させる）。これにより、ロック用部材２０の係合部２０ａが被係合部１６ａから離脱し、つまみ１２および被係合部材１６がつまみ付勢ばね１７の付勢力により時計回りに回動し、係止片１５は上方に向いて扉枠部２ｂに係合していない（離脱している）解錠状態となる。これにより、住人などは、扉３を開けて、荷物などを宅配ボックス１から取り出すことができる。なお、この際、識別用窓２８には解錠状態識別部２９Ｂが表示される。
【００４０】
上記構成によれば、扉３を閉じる際は、つまみ１２を回動させるだけの極めて少ない動作で（いわゆるワンアクション動作で）ロックすることができるので、手間を省きながら、簡単に施錠することができ、この際には専用の鍵なども必要としないので便利である。
【００４１】
また、万一、子供などが遊びや悪戯などにより宅配ボックス１に入って扉３が閉じられた場合でも、宅配ボックス１の内部から非常解錠部１４を操作することで前記ロック状態を解除でき、宅配ボックス１から脱出することができ、安全性を向上させることができる。
【００４２】
また、上記構成によれば、極めて少ない動作でロックできる構造を比較的簡単な構成で実現できるので、製造コストを低めに抑えることが可能となる。また、ロックされた施錠状態と扉を開けることが可能な解錠状態とを識別するための識別手段（識別用窓２８、施錠状態識別部２９Ａ、解錠状態識別部２９Ｂ）を設けることで、施錠状態と解錠状態とを容易に識別することができて便利である。また、上記のように、識別部をつまみ１２に設けると、簡単な構成となるので、これによっても製造コストを低めに抑えることが可能となる。
【００４３】
また、上記構成によれば、ロック用部材２０の一部に非常解錠部１４を設けたので、非常解錠部を別途に設ける場合と比較して、部品点数を増加させなくても済むので、製造コストを低めに抑えることが可能となる。しかし、これに限るものではなく、ロック用部材２０に連動する部品を操作することで前記ロック状態を解除できるよう構成してもよい。
【００４４】
また、上記実施の形態では、係止片１５が、つまみ１２と一体的に回動する場合を述べたが、これに限るものではなく、係止片１５が、つまみ１２とは別の箇所に配置されて、連動するように構成してもよく、何れの場合も、係止片１５がつまみ１２と連動するように構成すればよい。
【００４５】
また、上記実施の形態では、錠前装置１０が宅配ボックス１の扉３に組付けられていたが、これに代えて、錠前装置１０が宅配ボックス１の本体２側に組付けられて、係止片１５が扉３に係合可能に構成してもよい。
【００４６】
また、上記実施の形態では、宅配ボックス１に錠前装置１０が設けられている場合を述べたが、これに限るものではなく、例えば、ロッカーやキャビネットなどの収納庫に同様な構造の錠前装置を設けてもよい。
【符号の説明】
【００４７】
１      宅配ボックス（収納庫）
２      本体（収納庫本体）
３      扉
１０    錠前装置
１１    錠機構
１２    つまみ
１３    ロック機構
１４    非常解錠部
１５    係止片
１６    被係合部材
１６ａ  被係合部
１７    つまみ付勢ばね（つまみ付勢手段）
１９    ラッチ
２０    ロック用部材
２０ａ  係合部
２２    ロック用付勢ばね（ロック用付勢手段）
２３    保持枠
２４    組付け枠
２８    識別用窓
２９Ａ  施錠状態識別部
２９Ｂ  解錠状態識別部
３０    操作用カバー
３１、３２    鍵
【図１】
2019196618.tif 000003
【図２】
2019196618.tif 000004
【図３】
2019196618.tif 000005
【図４】
2019196618.tif 000006
【図５】
2019196618.tif 000007
【図６】
2019196618.tif 000008
【図７】
2019196618.tif 000009
【図８】
2019196618.tif 000010
【図９】
2019196618.tif 000011
【図１０】
2019196618.tif 000012
【図１１】
2019196618.tif 000013
【図１２】
2019196618.tif 000014
【図１３】
2019196618.tif 000015
【図１４】
2019196618.tif 000016
【図１５】
2019196618.tif 000017
【図１６】
2019196618.tif 000018
【図１７】
2019196618.tif 000019
【図１８】
2019196618.tif 000020
【図１９】
2019196618.tif 000021
【図２０】
2019196618.tif 000022